(57)【要約】この発明は広告などの情報を遠隔サイトでディスプレーするシステムに関するものである。該システムは遠隔サイト（３）に配置されたディスプレーシステムを有している。ディスプレーシステムは端末局（２１）との無線通信を行う多数のディスプレー（２３−１…２３−ｎ）からなっている。該システムは基局（１）とも通信し、該基局はディスプレーされる情報を示すディスプレーデータを受信する入力装置と情報のディスプレーを制御する制御器（１１）とを有している。基局（１）とディスプレーシステムは通信システム（２）を介して通信して作用し、これによりディスプレーデータは基局（１）からディスプレーシステムへと転送される。ディスプレーシステムはついで制御器（１１）に要求されたように情報をディスプレーする。
2004527794.tif 000002
【特許請求の範囲】
【請求項１】
（ａ）遠隔サイトに位置してかつ（ｉ）端末局と、（ｉｉ）端末局と無線通信するに適した数のディスプレーとを具えたディスプレーシステムと、（ｂ）（ｉ）ディスプレーされるべき情報を表わすディスプレーデータを受信する入力装置と、（ｉｉ）情報のディスプレーを制御する制御器とを具えた基局と、（ｃ）基局からディスプレーシステムにディスプレーデータを転送する通信システムとを含んでなり、該ディスプレーシステムは制御器により要求される情報をディスプレーすることを特徴とする遠隔サイトにおいて情報をディスプレーするシステム。
【請求項２】
ディスプレーが（ａ）ディスプレーデータを記憶するディスプレー記憶装置と、（ｂ）スクリーンと、（ｃ）ディスプレーデータにより表わされる情報をスクリーンにディスプレーさせるディスプレープロセッサーとを有していることを特徴とする請求項１に記載のシステム。
【請求項３】
端末局が（ａ）基局から受信されたディスプレーデータを記憶する端末局記憶装置と、（ｂ）ディスプレーへのディスプレーデータの転送を制御する端末局プロセッサーとを有していることを特徴とする請求項１または２に記載のシステム。
【請求項４】
情報が多数の異なるタイプのひとつを有しており、情報タイプが対応するディスプレーデータ中に表示されていることを特徴とする請求項１〜３のいずれかひとつに記載のシステム。
【請求項５】
制御器が（ａ）遠隔サイトにおける各ディスプレーについての場所を表示する場所データを記憶する制御器記憶装置と、（ｂ）（ｉ）ディスプレーされるべき各情報の情報タイプを決定し、（ｉｉ）情報タイプに応じて各情報がディスプレーされるべき場所を決定し、（ｉｉｉ）各場所における各情報のディスプレーを予定し、かつ（ｉｖ）対応するディスプレーデータをディスプレーシステムに転送する制御器プロセッサーとを含んでなることを特徴とする請求項４に記載のシステム。
【請求項６】
ディスプレーシステムが各場所のための予定を保持し、かつ各予定に応じて各情報をディスプレーすることを特徴とする請求項５に記載のシステム。
【請求項７】
制御プロセッサーが転送コマンドにより予定をディスプレーシステムに転送し、各コマンドが時間と各情報がディスプレーされるべき場所とを表示することを特徴とする請求項６に記載のシステム。
【請求項８】
少なくともいくつかのディスプレーが遠隔場所に静的配置されており、各固定されたディスプレーが各予定を保持することを特徴とする請求項７に記載のシステム。
【請求項９】
請求項２に掛かる場合において、ディスプレー場所に応じて端末局がコマンドを固定ディスプレーに転送し、各固定ディスプレーのプロセッサーがコマンドに反応して各予定を保持することを特徴とする請求項８に記載のシステム。
【請求項１０】
請求項３に掛かる場合において、ディスプレーデータが端末局から放送される放送データである場合には、端末局プロセッサーが（ａ）各場所のために各情報がディスプレーされる時間を示す放送予定を保持し、（ｂ）放送データを各予定に応じて各場所に位置された１以上のディスプレーに転送することを特徴とする請求項９に記載のシステム。
【請求項１１】
（ａ）対応するディスプレーデータが放送データである情報に関連するコマンドを決定し、（ｂ）現存の放送予定を更新するか新たな放送予定を発生するかにより端末局プロセッサーが放送予定を保持することを特徴とする請求項１０に記載のシステム。
【請求項１２】
ディスプレープロセッサーが（ａ）放送データを受信して、（ｂ）対応する各情報を各予定に応じてスクリーン上にディスプレーさせることを特徴とする請求項１０または１１に記載のシステム。
【請求項１３】
（ａ）コマンドを受信して、（ｂ）現存の予定を更新するかまたは新たな予定を発生するかによりディスプレープロセッサーが予定を保持することを特徴とする請求項９〜１２のいずれかひとつに記載のシステム。
【請求項１４】
ディスプレーデータがディスプレー前に端末局からダウンロードされたデータである場合には、（ｉ）コマンドを受けて、（ｉｉ）いずれのコマンドに各情報が言及しているかを決定し、（ｉｉｉ）各情報に対応するディスプレーデータがディスプレー記憶装置に記憶されるか否かを決定し、（ｉｖ）現存の予定を更新するかまたは成功した決定に反応して新たな予定を発生するかによりディスプレープロセッサーが各予定を保持することを特徴とする請求項９〜１３のいずれかひとつに記載のシステム。
【請求項１５】
不成功な決定に反応してディスプレープロセッサーが対応するディスプレーデータについての要求を発生し、端末局が要求に反応して対応するディスプレーデータをディスプレー記憶装置に転送することを特徴とする請求項１４に記載のシステム。
【請求項１６】
対応するディスプレーデータを受信したときに、ディスプレープロセッサーが現存する予定を更新するか新たな予定を発生することを特徴とする請求項１５に記載のシステム。
【請求項１７】
少なくともいくつかのディスプレーが遠隔場所に動的に配置されており、各動的なディスプレーが使用中の異なる場所間で移動されることを特徴とする請求項７に記載のシステム。
【請求項１８】
請求項３に掛かった場合において、端末局プロセッサーが（ａ）コマンドを受信して、（ｂ）受信したコマンドに応じて各場所のために予定を保持し、（ｃ）各動的ディスプレーの現行の場所を決定し、（ｄ）決定された場所と各予定に応じてディスプレーデータを各動的ディスプレーに転送することを特徴とする請求項１７に記載のシステム。
【請求項１９】
請求項２に掛かった場合において、ディスプレープロセッサーが（ａ）ディスプレーデータを受信して、（ｂ）対応する各情報をスクリーンにディスプレーさせることを特徴とする請求項１８に記載のシステム。
【請求項２０】
入力装置が各情報がいつディスプレーされるかを示す割当て時間通知を受けて、制御器が割当て時間通知に応じて各情報のディスプレーを予定することを特徴とする請求項５〜１９のいずれかひとつに記載のシステム。
【請求項２１】
情報が広告を含んでおり、情報タイプが広告される製品のタイプを示していることを特徴とする請求項４〜２０のいずれかひとつに記載のシステム。
【請求項２２】
請求項５に掛かった場合において、場所データがディスプレーが近くに位置している製品のタイプを特定することを特徴とする請求項２１に記載のシステム。
【請求項２３】
ディスプレープロセッサーが多数の異なるフォーマットのいずれかひとつを有したデータをディスプレーすることを特徴とする請求項２〜２２のいずれかひとつに記載のシステム。
【請求項２４】
基局がディスプレーシステムへの転送前にディスプレーデータを暗号化し、端末局が暗号化されたディスプレーデータを解読することを特徴とする請求項１〜２３のいずれかひとつに記載のシステム。
【請求項２５】
基局がディスプレーシステムへの転送前にディスプレーデータを圧縮し、端末局が圧縮されたディスプレーデータを圧縮解除することを特徴とする請求項１〜２４のいずれかひとつに記載のシステム。
【請求項２６】
基局が請求システムを有しており、該請求システムが情報をディスプレーするための請求書を発生することを特徴とする請求項１〜２５のいずれかひとつに記載のシステム。
【請求項２７】
各ディスプレーが各情報のディスプレーを確認する確認データを発生し、確認データが請求システムにより使用されて請求書を発生することを特徴とする請求項２６に記載のシステム。
【請求項２８】
通信システムが端末局と基局とを接続する通信ネットワークを有していることを特徴とする請求項１〜２７のいずれかひとつに記載のシステム。
【請求項２９】
端末局により提供された情報をディスプレーするディスプレーであって、（ａ）（ｉ）ディスプレーされる情報を示すディスプレーデータと、（ｉｉ）各情報がディスプレーされる時間の表示とを受信する端末局との無線通信を提供するトランシーバーと、（ｂ）ディスプレーデータを記憶するディスプレー記憶装置と、（ｃ）スクリーンと、（ｄ）スクリーンに各情報を表示された時間にディスプレーさせるディスプレープロセッサーとを有してなるディスプレー。
【請求項３０】
ディスプレーがタイマーを具えており、ディスプレープロセッサーがタイマーに反応して表示された時間に各情報をディスプレーすることを特徴とする請求項２９に記載のディスプレー。
【請求項３１】
ディスプレーが多数のフォーマットのいずれかを有したディスプレーデータに対応する情報をディスプレーすることを特徴とする請求項２９または３０に記載のディスプレー。
【請求項３２】
フォーマットが（ａ）ビデオと、（ｂ）オーディオと、（ｃ）グラフィックと、（ｄ）マルチメディアと（ｅ）テキストとを有していることを特徴とする請求項３１に記載のディスプレー。
【請求項３３】
ディスプレーデータが端末局から放送される放送データである場合には、ディスプレープロセッサーが放送データが受信されると各情報をディスプレーすることを特徴とする請求項２９〜３２のいずれかひとつに記載のディスプレー。
【請求項３４】
トランシーバーがコマンドを受信し、各コマンドが各情報がディスプレーされるべき時間を示し、ディスプレープロセッサーが（ａ）コマンドを用いて情報がディスプレーされる時間を示す各予定を保持しかつ（ｂ）各予定に応じて情報をディスプレーすることを特徴とする請求項２９〜３３のいずれかひとつに記載のディスプレー。
【請求項３５】
ディスプレーが入力装置を具え、ディスプレーデータが相互作用情報を示し、ディスプレープロセッサーがディスプレーデータをして入力装置で受信されたコマンドに反応して相互作用させることを特徴とする請求項２９〜３４のいずれかひとつに記載のディスプレー。
【請求項３６】
入力装置がタッチ感応スクリーンを有していることを特徴とする請求項３５に記載のディスプレー。
【請求項３７】
ディスプレープロセッサーがディスプレーされた情報を確認する確認データを発生し、確認データが端末局に転送されることを特徴とする請求項２９〜３６のいずれかひとつに記載のディスプレー。
【請求項３８】
端末局により提供された情報をディスプレーするためのディスプレーシステム中に用いるコンピュータープログラム製品であって、コンピューター実行可能コードを有しており、該コードが適宜にプログラムされたプロセッサーを有したディスプレーをして示された時間に各情報をディスプレーさせることを特徴とするコンピュータープログラム製品。
【請求項３９】
前記コードがディスプレーをして請求項２９〜３７のディスプレーとして作用させることを特徴とする請求項３８に記載のコンピュータープログラム製品。
【請求項４０】
ディスプレーシステムが遠隔場所において情報をディスプレーし、端末局が（ａ）（ｉ）ディスプレーされる情報を表わすディスプレーデータと（ｉｉ）各情報がディスプレーされる時間と場所との表示とを受信する入力装置と（ｂ）ディスプレーデータを記憶する端末局記憶装置と（ｃ）１以上のディスプレーへのディスプレーデータの転送を制御する端末局プロセッサーとを有しており、各情報がディスプレー上にディスプレーされることを特徴とするディスプレーシステムに用いる端末局。
【請求項４１】
端末局プロセッサーがトランシーバーを介してディスプレーデータをディスプレーに転送することを特徴とする請求項４０に記載の端末局。
【請求項４２】
端末局が各ディスプレーの場所を決定することを特徴とする請求項４０または４１に記載の端末局。
【請求項４３】
端末局がトランシーバーを介して少なくとも２個のアンテナに接続されており、端末局プロセッサーが各アンテナを介して各ディスプレーから受信された信号に対応して各ディスプレーの場所を決定することを特徴とする請求項４２に記載の端末局。
【請求項４４】
コマンドを受信して、各コマンドが各情報がディスプレーされるべき時間と場所とを示していることを特徴とする請求項４０〜４３のいずれかひとつに記載の端末局。
【請求項４５】
少なくともいくつかのディスプレーデータが端末局から放送される放送データであり、端末局プロセッサーが（ａ）各場所のために各情報がディスプレーされるべき時間を示す放送予定を保持し、（ｂ）各予定に対応して各場所に配置された１以上のディスプレーに放送データを転送することを特徴とする請求項４４に記載の端末局。
【請求項４６】
端末局プロセッサーが（ａ）対応するディスプレーデータが放送データである情報に関連するコマンドを決定し、（ｂ）現存の放送予定を更新するか新たな放送予定を発生することにより放送予定を保持することを特徴とする請求項４５に記載の端末局。
【請求項４７】
少なくともいくつかのディスプレーが場所に静的配置された固定ディスプレーであり、ディスプレーの場所とコマンドに示された場所に対応して端末局プロセッサーがコマンドをディスプレーに転送することを特徴とする請求項４４〜４６のいずれかひとつに記載の端末局。
【請求項４８】
少なくともいくつかのディスプレーが遠隔場所に動的に配置されており、各動的ディスプレーが使用中の異なる場所間で移動され、端末局プロセッサーが（ａ）コマンドを受信し、（ｂ）受信コマンドに対応して各場所について予定を保持し、（ｃ）各動的ディスプレーの現行場所を決定し、（ｄ）決定された場所と受信予定に対応して各動的ディスプレーにディスプレーデータを転送することを特徴とする請求項４４〜４７のいずれかひとつに記載の端末局。
【請求項４９】
受信されたディスプレーデータが圧縮されて、端末局プロセッサーがディスプレーデータを圧縮解除することを特徴とする請求項４０〜４８のいずれかひとつに記載の端末局。
【請求項５０】
受信されたディスプレーデータが暗号化され、端末局プロセッサーがディスプレーデータを解読することを特徴とする請求項４０〜４９のいずれかひとつに記載の端末局。
【請求項５１】
ディスプレーシステム中に使われるコンピュータープログラム製品であって、ディスプレーシステムが遠隔場所に情報をディスプレーし、コンピューター実行コードを有しており、該コードが適宜にプログラムされたプロセッサーを具えた端末局に１以上のディスプレーへのディスプレーデータの転送を制御させ、各情報がディスプレー上にディスプレーされることを特徴とするコンピュータープログラム製品。
【請求項５２】
端末局に請求項４０〜５０のいずれかの端末局として作用させることを特徴とする請求項５１に記載のコンピュータープログラム製品。
【請求項５３】
遠隔場所に情報をディスプレーするためのディスプレーシステムであって、（ａ）（ｉ）（１）ディスプレーされる情報を示すディスプレーデータと、（２）各情報がディスプレーされる時間と場所との表示とを受信する入力装置と、（ｉｉ）ディスプレーデータを記憶する端末局記憶装置と、（ｉｉｉ）ディスプレーへのディスプレーデータの転送を制御する端末局プロセッサーとを有した端末局と、（ｂ）それぞれが（ｉ）ディスプレーデータを記憶する記憶装置と、（ｉｉ）スクリーンと、（ｉｉｉ）スクリーンにディスプレーデータにより示される情報をディスプレーさせるプロセッサーとを有した複数のディスプレーと、（ｃ）端末局と各ディスプレーとを接続する無線通信システムとを有してなるディスプレーシステム。
【請求項５４】
無線通信システムが（ａ）端末局接続されたトランシーバーと、（ｂ）各ディスプレーに配置された各ディスプレートランシーバーとを有してなることを特徴とする請求項５３に記載のシステム。
【請求項５５】
ディスプレーシステムが請求項４０〜５０のいずれかの端末局を有していることを特徴とする請求項５３または５４に記載のシステム。
【請求項５６】
ディスプレーシステムが多数のディスプレーを有しており、各ディスプレーが請求項２９〜３７のいずれかのディスプレーであることを特徴とする請求項５３〜５５のいずれかひとつに記載のシステム。
【請求項５７】
遠隔場所におけるディスプレーシステム上にディスプレーされる情報を受信する基局であって、（ａ）ディスプレーされる情報を示すディスプレーデータを受信する入力装置と、（ｂ）情報のディスプレーを制御する制御器と、（ｃ）遠隔場所にデータと予定を転送する出力装置とを有してなる基局。
【請求項５８】
情報が異なるタイプの情報のひとつを有しており、情報タイプが対応するディスプレーデータ中に示されており、制御器が（ａ）遠隔サイトにおける各ディスプレーの場所を示す場所データを記憶する制御記憶装置と、（ｂ）（ｉ）ディスプレーされる各情報の情報タイプを決定し、（ｉｉ）情報タイプに対応して各情報がディスプレーされる場所を決定し、（ｉｉｉ）各場所における各情報のディスプレーを予定し、（ｉｖ）対応するディスプレーデータをディスプレーシステムに転送する制御プロセッサーとを有していることを特徴とする請求項５７に記載の基局。
【請求項５９】
いつ各情報がディスプレーされるかを示す割当て時間通知を入力装置が受信し、制御器が割当て時間通知に対応して各情報のディスプレーを予定することを特徴とする請求項５７または５８に記載の基局。
【請求項６０】
制御プロセッサーがコマンドを転送することにより予定をディスプレーシステムに転送し、各コマンドが各情報がディスプレーされる時間と場所とを示すことを特徴とする請求項５９に記載の基局。
【請求項６１】
入力装置が通信ネットワークに接続され、入力装置が電子フォーマットでディスプレーデータを受信することを特徴とする請求項５７〜６０のいずれかひとつに記載の基局。
【請求項６２】
情報をディスプレーする請求書を発生する請求システムを有していることを特徴とする請求項５７〜６１のいずれかひとつに記載の基局。
【請求項６３】
ディスプレーシステムから確認データを受信し、確認データが各情報のディスプレーを確認し、確認データが請求システムに使われて請求書を発生することを特徴とする請求項６２に記載の基局。
【請求項６４】
遠隔場所のディスプレーシステム上にディスプレーされる情報を受信する基局中に使われるコンピュータープログラム製品であって、コンピューター実行コードを有し、該コードが適宜にプログラムされたプロセッサーをして（ｉ）ディスプレーされる各情報の情報タイプを決定し（ｉｉ）情報タイプに対応して各情報がディスプレーされる場所を決定し、（ｉｉｉ）各場所における各情報のディスプレーを予定し、（ｉｖ）ディスプレーシステムに対応するディスプレーデータを転送させることを特徴とするコンピュータープログラム製品。
【請求項６５】
基局をして請求項５７〜６３のいずれかの基局として作用させることを特徴とする請求項６４に記載のコンピュータープログラム製品。
【請求項６６】
ディスプレーシステムが請求項５３〜５６のいずれかのディスプレーシステムであることを特徴とする請求項１〜２８のいずれかひとつに記載のシステム。
【請求項６７】
基局が請求項５７〜６３のいずれかの基局であることを特徴とする請求項１〜２８のいずれかひとつに記載のシステム。
【発明の詳細な説明】
【技術分野】
【０００１】
この発明は遠隔サイトにおいて情報をディスプレーするシステムに関するものであり、特に広告などをディスプレーする無線ディスプレーシステムに関するものである。
【背景技術】
【０００２】
この明細書における従来技術への言及は、該従来技術がオーストラリアまたその他の世界各地における共通の一般的知識であることを、認めたり示唆するものではない。
【０００３】
最も有効な広告は販売地点において行われる（すなわち製品が販売され得る場所において製品を広告する）ものであることが広告業界においてはよく知られている。現在、販売地点において広告を提供するたくさんの技術が存在している。
【０００４】
例えば最も基本的な技術はディスプレースタンドに置かれた製品と一緒にした広告を具えたディスプレー空間スタンドを提供することである。これに加えて、ポスターなどを用いて製品を広告することもよく知られている。
【０００５】
しかし静的画像では消費者の関心も限られたものであり、したがって最近では動的映像の使用が増えている。それらは例えばスーパーマーケットでディスプレー広告として使われるテレビやコンピュータースクリーンの形をとっている。しかしこれらのシステムは現在のところ配線設置の必要なテレビまたはコンピューターを必要としている。
【０００６】
しかしこれは却って多くの問題を招来している。特に配線システムは不動的で柔軟性を欠いており、スーパーマーケット内で場所を変えることができない。したがってスーパーマーケット内の異なる場所で広告をディスプレーする場合には、使用すると否とに拘わらず各場所に別個のスクリーンを有する必要がある。これに加えて、システムを設置する工程においては一般に配線とテレビまたはディスプレースクリーンを装備する必要があり、その装備と保持にコストが掛かるのである。この結果移動ディスプレーまたは広告を販売地点で装備するという従来の解決方法は初期設置のハイコストの故に常に法外に高価であった。
【０００７】
ＷＯ９１／１７５３０号には販売機などの装置において広告をディスプレーしクーポンを印刷する方法と装置とが開示されている。中央システムが広告のディスプレーを定義する予定を発生し、これらの予定が販売機にダウンロードされて所望のように広告をディスプレーするようにこのシステムは作用する。
【特許文献１】
ＷＯ９１／１７５３０号
【０００８】
ＵＳ５７９７７５７号には店で使用する携帯式ディスプレーが開示されている。このディスプレーによれば購入リストと製品情報とがユーザーにディスプレーされる。したがってこのシステムでは、ユーザーは各ディスプレーにログオンしてディスプレーされる情報が自分に向けられるようにする。
【特許文献２】
ＵＳ５７９７７５７号
【発明の開示】
【課題を解決するための手段】
【０００９】
第１の技術思想にあっては、遠隔サイトで情報をディスプレーするシステムを提供することに係るものであって、該システムは（ａ）遠隔サイトに配置されてかつ（ｉ）端末局と（ｉｉ）端末局と無線通信する多数のディスプレーとを有したディスプレーシステムと、（ｂ）（ｉ）ディスプレーされる情報を示すディスプレーデータを受信する入力装置と、（ｉｉ）情報のディスプレーを制御する制御器とを有した基局と、（ｃ）基局からディスプレーシステムにディスプレーデータを転送する通信システムとを有しており、かつディスプレーシステムは制御器に要求されたように情報をディスプレーし、各ディスプレーが（ａ）ディスプレーデータを記憶するディスプレー記憶装置と、（ｂ）スクリーンと、（ｃ）スクリーンにディスプレーデータにより示された情報をディスプレーするディスプレープロセッサーとを、有しているものである。
【００１０】
端末局は通常（ａ）基局から受信されたディスプレーデータを記憶する端末局記憶装置と、（ｂ）ディスプレーへのディスプレーデータの転送を制御する端末局プロセッサーとを有している。
【００１１】
情報は通常いくつかの異なるタイプのひとつを有しており、該情報タイプは対応するディスプレーデータ中に示されている。広告の場合にはこの情報タイプは例えば広告される製品のタイプの表示である。これに代えてまたは加えて、情報タイプは遠隔場所にある選択されたスクリーンかまたは多数のスクリーンにディスプレーされることを示す場合もある。
【００１２】
制御器は、（ａ）遠隔サイトの各ディスプレーのための場所を示す場所データを記憶する制御記憶装置と、（ｂ）（ｉ）ディスプレーされる各情報のタイプを決定し、（ｉｉ）情報タイプに応じて各情報がディスプレーされる場所を決定し、（ｉｉｉ）各場所における各情報のディスプレーを予定し、（ｉｖ）対応するディスプレーデータをディスプレーシステムに転送する制御プロセッサーとを、有するのが望ましい。
【００１３】
一般にディスプレーシステムは各場所について予定を保持し、かつ各予定に応じて各情報をディスプレーする。制御プロセッサーはコマンドを転送することにより予定をディスプレーシステムに転送し、各コマンドは各情報がディスプレーされる時間と場所とを示している。これに代えて、全予定を変更される毎に転送してもよい。でもこれは制御器からディスプレーシステムへの転送を必要とするデータ量の莫大な増加を通常招来することになる。
【００１４】
一般的には少なくともいくつかのディスプレーは遠隔場所に静的配置されており、各静的ディスプレーは各予定を保持する。この場合、端末局はディスプレー場所に応じてコマンドを静的ディスプレーに転送し、各静的ディスプレーのディスプレープロセッサーはコマンドに応答して各予定を保持する。
【００１５】
ディスプレーデータが端末局から放送される放送データである場合には、端末局プロセッサーは（ａ）各場所について各情報がディスプレーされる時間を示す放送予定を保持し、（ｂ）各予定に応じて放送データを各場所の１以上のディスプレーに転送するのが望ましい。
【００１６】
端末局プロセッサーは一般に（ａ）対応するディスプレーデータが放送データである情報に関連するコマンドを決定し、（ｂ）現存の放送予定を更新するかまたは新たな放送予定を発生することにより放送予定を保持する。
【００１７】
ディスプレープロセッサーは一般に（ａ）放送データを受信し、（ｂ）各予定に応じて対応する各情報をスクリーン上にディスプレーさせる。
【００１８】
ディスプレープロセッサーは通常（ａ）コマンドを受信し、（ｂ）現存する予定を更新するかまたは新たな予定を発生することにより予定を保持する。
【００１９】
これに代えて、ディスプレーデータがディスプレー前に端末局からダウンロードされたデータである場合には、ディスプレープロセッサーは（ｉ）コマンドを受信し、（ｉｉ）コマンドが言及する各情報を決定し、（ｉｉｉ）各情報に対応するディスプレーデータがディスプレー記憶装置に記憶されるか否かを決定し、（ｉｖ）成功した決定に応じて現存の予定を更新するかまたは新たな予定を発生することにより各予定を保持する。
【００２０】
不成功な決定に応答してディスプレープロセッサーは一般に対応するディスプレーデータについての要求を発生し、端末局は要求に応答して対応するディスプレーデータをディスプレー記憶装置に転送する。この場合対応するディスプレーデータを受信してディスプレープロセッサーは一般に現存の予定を更新するかまたは新たな予定を発生する。
【００２１】
少なくともいくつかのディスプレーは遠隔場所に動的配置されており、各動的ディスプレーは使用中の異なる場所間を移動する。この場合端末局プロセッサーは（ａ）コマンドを受信し、（ｂ）受信コマンドに応じて各場所のための予定を保持し、（ｃ）各動的ディスプレーの現在場所を決定し、（ｄ）決定された場所と各予定に応じてディスプレーデータを各動的ディスプレーに転送する。
【００２２】
入力装置は一般にいつ各情報がディスプレーされるかを示す割当て時間通知を受信する。これにより制御器は割当て時間通知に応じて各情報のディスプレーを予定する。該情報は通常広告を含んでおり、情報タイプは広告される製品のタイプを示している。場所データがディスプレーが近くに位置している製品のタイプを特定する場合には。
【００２３】
ディスプレープロセッサーは（ａ）ビデオ、（ｂ）オーディオ、（ｃ）グラフィックス、（ｄ）マルチメディアおよび（ｅ）テキストなどの異なるフォーマットのいずれかを有したデータをディスプレーするのが望ましい。この場合マルチメディアファイルはフラッシュ、ａｖｉ（視聴覚）、ｍｏｖ（ムービー）、ｍｐｅｇ−Ｉ、ｍｐｅｇ−ＩＩ、パワーポイントなどの異なるタイプのデータを含有できる。
【００２４】
基局は通常ディスプレーシステムへの転送前にディスプレーデータを暗号化および／または圧縮する。端末局は受信されたときにディスプレーデータを解読および／または圧縮解除する。基局はまた請求システムを有しており、該請求システムは情報をディスプレーするための請求を発生する。この場合各ディスプレーは確認データを発生して、各情報のディスプレーを確認するのが望ましく、該確認データは請求を発生させる請求システムにより使用される。
【００２５】
通信システムは端末局と基局とを接続する通信ネットワークを有している。これはいかなる形態の通信ネットワークでも、２個の別個な場所間でデータを転送できればよいのである。つまりネットワークはインターネットなどの公衆ネットワーク、ＬＡＮ（ローカルエリアネットワーク）などの個人ネットワーク、ＷＡＮ（ワイドエリアネットワーク）などである。さらにネットワークは有線でも無線でもよい。
【００２６】
一般に通信ネットワークはインターネットであって、基局と遠隔サイトがＩＳＤＮまたはリースラインなどを介してインターネットに接続される。これにより高データ転送帯域幅が得られる。しかしこれに代えて、基局と遠隔サイトとはＰＳＴＮ（公衆切換え電話ネットワーク）を介して行われる電話回線で接続されてもよい。これによりシステムは、配線などの必要なく、現存する場所に集積される。
【００２７】
この発明の第２の技術思想にあっては、端末局により提供される情報をディスプレーするディスプレーがある。このディスプレーは（ａ）端末局との無線通信を提供しかつ（ｉ）ディスプレーされる情報を示すディスプレーデータと、（ｉｉ）各情報がディスプレーされる時間の表示とを受信するトランシーバーと、（ｂ）ディスプレーデータを記憶するディスプレー記憶装置と、（ｃ）スクリーンと（ｄ）スクリーンに各情報を表示された時間にディスプレーさせるディスプレープロセッサーとを有している。
【００２８】
ディスプレーはまた一般的にサウンドシステムを有しており、ディスプレープロセッサーはサウンドシステムに音を発生させて、各情報をディスプレーさせる。ディスプレーは一般にタイマーを有しており、ディスプレープロセッサーはタイマーに応答して表示された時間に各情報をディスプレーする。ディスプレーデータが端末局から放送される放送データである場合には、ディスプレープロセッサーが放送データが受信されると各情報をディスプレーする。
【００２９】
さらなる選択として、ディスプレーは入力装置を有していてもよく、ディスプレーデータは相互作用情報を示し、ディスプレープロセッサーはディスプレーデータをして入力装置において受信されたコマンドに反応して相互作用させる。入力装置は通常タッチ感応スクリーンなどから形成される。しかし別個のキーボード、マウスなどを用いることもできる。
【００３０】
この発明の第３の技術思想においては、ディスプレーシステムにおいて使用する端末局が提供される。ディスプレーシステムは遠隔場所において情報をディスプレーし、端末局は（ａ）（ｉ）ディスプレーされる情報を示すディスプレーデータと（ｉｉ）各情報がディスプレーされる時間と場所の表示を受信する入力装置と、（ｂ）ディスプレーデータを記憶する端末局記憶装置と、（ｃ）１以上のディスプレーへのディスプレーデータの転送を制御する端末局プロセッサーとを有しており、各情報はディスプレーにディスプレーされる。端末局プロセッサーは一般にトランシーバーを介してディスプレーデータをディスプレーに転送する。
【００３１】
動的ディスプレーが使用される場合には、端末局は各ディスプレーの場所を決定できるのが望ましい。この作業もまた静的ディスプレーを用いて行われ、システムが当初遠隔サイトとして構成されている場合にはディスプレー場所を決定する。場所は通常、端末局をトランシーバーを介して少なくとも２個のアンテナに接続すること、により決定される。端末局プロセッサーは、各アンテナを介して各ディスプレーから受信される信号に応じて各ディスプレーの場所を決定する。
【００３２】
この発明の第４の技術思想においては遠隔場所において情報をディスプレーするディスプレーシステムが提供され、該ディスプレーシステムは、（ａ）（ｉ）（１）ディスプレーされる情報を示すディスプレーデータと（２）各情報がディスプレーされる時間と場所の表示を受信する入力装置と、（ｉｉ）ディスプレーデータを記憶する端末局記憶装置と（ｉｉｉ）ディスプレーデータのディスプレーへの転送を制御する端末局プロセッサーとを有した端末局と、（ｂ）それぞれが（ｉｖ）ディスプレーデータを記憶するディスプレー記憶装置と（ｖ）スクリーンと（ｖｉ）スクリーンにディスプレーデータにより示された情報をディスプレーさせるプロセッサーとを有した多数のディスプレーと、（ｃ）端末局と各ディスプレーとを相互接続させる無線通信システムとを、有している。
【００３３】
無線通信システムは通常（ａ）端末局に接続されたトランシーバーと（ｂ）各ディスプレーに配置された各ディスプレートランシーバーとを有している。
【００３４】
ここではディスプレーは一般にこの発明の第２の技術思想に応じてディスプレーされるもので、端末局は一般に第３の技術思想による端末局である。
【００３５】
この発明の第５の技術思想にあっては、遠隔場所においてディスプレーシステム上にディスプレーされる情報を受信する基局を提供するものである。該基局は（ａ）ディスプレーされる情報を示すディスプレーデータを受信する入力装置と、（ｂ）情報のディスプレーを制御する制御器と、（ｃ）遠隔場所にデータと予定とを転送する出力装置とを有している。入力装置は通常通信ネットワークに接続されており、入力装置は電子的フォーマットでディスプレーデータを受信する。
【００３６】
上記したように、この発明の第１の技術思想は、第２、３、４または５の技術思想を使って実行される。
【００３７】
最後にこの発明はディスプレーを行うコンピュータープログラム製品を提供するものであり、端末局と基局は第２、３および５の技術思想に応じて作用する。
【００３８】
図１に示すのはこの発明の広告をディスプレーするシステムであって、通信ネットワーク２を介して多数の遠隔場所３に接続された基局１を有している。この通信ネットワークはＬＡＮやＷＡＮなどの適宜な通信ネットワークから構成される。したがって通信ネットワークは有線または無線ネットワークであって、一例としてインターネットがある。これに代えて、基局１はＰＳＴＮを介して構築される電話接続を介して遠隔サイトに接続されてもよい。
【００３９】
使用においては、基局１は遠隔場所３においてディスプレーされる広告を示すデータを受信する。基局１は爾後のディスプレーのために遠隔場所３に広告を転送する前に広告のディスプレーを予定する。図１に示すように、基局１はスイッチ１２を介して多数の制御器１１に接続されたサーバー１０を有している。スイッチ１２はルーター１３を介して通信ネットワーク２に接続されている。この例ではスイッチ１２の使用を開示しているが、これに代えてＬＡＮなどの通信ネットワークを使うこともできる。
【００４０】
同様に各遠隔場所３はルーター２１を介して通信ネットワーク２に接続された端末局２０を有している。端末局２０は図示の無線トランシーバー２２を介して多数のディスプレー２３−１、２３−２、２３−３、２３−４…２３−ｎに接続されている。したがって基局１によるディスプレーのために広告が予定されると、広告は各遠隔場所３の端末局２０に転送されて爾後ディスプレー２３に転送される。広告はついで基局により決定された予定に応じてディスプレー上にディスプレーされる。
【００４１】
制御器１１の一例を図２により詳細に示す。図示のように、制御器１１はプロセッサー３０、メモリー３１、入出力（Ｉ／Ｏ）装置３２および母線３４を介して互いに接続されたインターフェイス３３を含んだ処理システムから構成されている。ネットワークインターフェイスカードなどであってもよいインターフェイス３３は制御器１１をスイッチ１２に接続して、これにより制御器１１は通信ネットワーク２を介してデータを受信する。したがって制御器はいかなる適宜な処理システムから構成できる。例えば適宜にプログラムされたＰＣ、インターネット端末、ラップトップ、携帯式ＰＣなどである。
【００４２】
使用に際して、制御器１１はディスプレーされる広告を示すディスプレーデータを受信する。制御器１１はついで、サーバー１０にディスプレーデータを転送する前に、いつどこで後記するように決定された予定の表示とともに広告がディスプレーされるかを予定する。
【００４３】
ディスプレーデータは広告者から電子フォーマットで、通信ネットワーク２、ルーター１３、スイッチ１２を介して受信できる。こうして広告者は例えばシステムを使ってディスプレーされる広告をＥメールできる。後記するように、広告はビデオおよび／または音声データまたはフラッシュ、ショックウェーブ、ＭＰＥＧなどのコンピューターフォーマットなどいかなるフォーマットでも提供できる。
【００４４】
しかしこれに代えて、Ｉ／Ｏ装置３２を用いた手動入力など他の手段でもディスプレーデータを得ることができる。この場合、広告者はディスプレーされる広告のハードコピーを提供する。または単に例えば電話などで音声表示を提供することもできる。この場合ディスプレーデータがついで制御器１１のユーザーにより各Ｉ／Ｏ装置３２を用いて発生される。
【００４５】
ディスプレーされる広告を決めるのに加えて、ディスプレーデータはまた一般に広告タイプの表示を広告がディスプレーされる時間を示す割当て時間通知を有している。上記した点に加えて、制御器１１はアプリケーションソフトを内蔵しており、広告者に請求するとともに後記するようにローカルネットワークの作用を制御する。
【００４６】
基局サーバー１０の一例を図３に詳細に示す。図示のように、サーバー１０はメモリー４１に接続されたプロセッサー４０と、Ｉ／Ｏ装置４２と、インターフェイス４３とタイマー４６とを母線４４を介して有している。したがって、サーバー１０はいかなる処理システムでもよく、特にいかなる適宜プログラムされたネットワークサーバーでもよい。
【００４７】
使用時には、サーバー１０は基局１と遠隔場所３の全体作用を管理すべく設計されたアプリケーションソフトを実行する。特にサーバー１０はデータの送信・制御、遠隔場所３の作用、ディスプレー２３を監視するとともに、時間サーバーとして働いて、遠隔場所３と基局１の作用を同期させる。これに加えてサーバー１０は暗号化と圧縮機能を有していて、通信ネットワーク２を介して転送されるデータを暗号化・圧縮する。
【００４８】
以上から分かるように、サーバー１０と制御器１１とはいずれも処理システムであって、適宜なアプリケーションソフトを実行する。したがって、サーバー１０と制御器１１とはそれらの機能を具えた単一の処理システムで置換えることができる。これには一般に制御器１１の機能を行うアプリケーションソフトをサーバー１０が実行するようにするとよい。しかし一般には異なる処理システムを用いて大容量のディスプレーデータを迅速に処理することを可能とする。
【００４９】
いずれかひとつの遠隔場所３からの端末局２０を図４に詳細を示す。端末局２０はメモリー５１に接続されたプロセッサー５０とＩ／Ｏ装置５２とを母線５４を介して有している。母線５４にはまたネットワークインターフェイス５３が接続されて、端末局２０をルーター２１に接続し、トランシーバーインターフェイス５５も接続されていてトランシーバー２３を介して端末局をディスプレー２３に接続する。
【００５０】
最後にタイマー５６も設けられており、端末局により行われる作用のタイミングを制御する。正しく機能するべく、エンドタイマー５６はサーバー１０のタイマー４６とＳＮＴＰプロトコルを用いて同期されている。
【００５１】
使用時には、端末局２０は基局１からディスプレーデータと予定情報とを受信する。ついで端末局２０はディスプレーデータと予定情報とのディスプレー２３への転送を制御して、広告が確かに所望のようにディスプレーされるようにする。ディスプレーの一例を図５に示す。ディスプレーはメモリー６１に接続されたプロセッサー６０と、スクリーン６２と、入力装置６３と、トランシーバー６５とを母線６４を介して有している。サーバータイマー４６と同期するタイマー６６は広告ディスプレーのタイミングを制御する。
【００５２】
端末局２０とディスプレー２３とは処理システムであって、２個の装置の機能は単一の処理装置に組み合わせることができる。この場合、ディスプレー２３は端末局２０の機能を行う。ディスプレーは無線アクセスポイントを介してルーター２１に無線接続される。
【００５３】
使用時には、ディスプレーはトランシーバー６５を介して端末局２０からＲＦ（無線周波数）信号として無線転送されるディスプレーデータと予定情報とを受信する。これには各ディスプレーに各識別子を割り当てる。ディスプレーに転送されたデータはデータを受信するための各ディスプレーの各ディスプレー識別子を有している。データが転送されると、データの送信が各ディスプレーにより検知されて、ディスプレーはデータに含まれたディスプレー識別子をチェックする。ディスプレー識別子が各ディスプレーのディスプレー識別子に対応していたら、データが受信され、そうでなかったらデータが無視される。
【００５４】
これにより通信は端末局と多数のディスプレー間で達成される。各周波数を用いて個別のディスプレーと通信する必要はない。これにより装置の複雑さは極端に低減されて、単一の周波数帯域を使うだけでよいのである。この例では、システムはＩＳＭ帯域を使いＲＦ通信に２４８５ＭＨｚ（２．４ＧＨｚ）を使う。なぜならこの周波数はライセンスが必要なくて、世界中でライセンスの問題なく使用できるからである。この周波数は１−Ｍｂｐｓ〜１１−Ｍｂｐｓの速度でデータ通信を提供でき、リアルタイムビデオ信号の送受信を可能とする。
【００５５】
システムが正しく作用するべく、トランシーバー２２とディスプレー２３とは信号を捕捉するのに高ゲインアンテナを使うのが望ましい。アンテナは屋内用として設計して、データ信号の高速受信を確かなものとする。高ゲイン、低電力消費、小サイズのアンテナは一般に多方向性であって、誤り訂正とノイズ除去の性能を内蔵している。しかし他のアンテナも品質上の妥協はほとんどなしにシステムには使用できる。
【００５６】
ディスプレーにより受信された情報はプロセッサー６０が用いて予定により要求されたように情報をディスプレーする。トランシーバー２２とディスプレー２３とをスーパーマーケット内などの遠隔場所に配置することにより、ある種の製品については広告が販売地点においてディスプレーできるのである。
【００５７】
ついで図６〜８によりシステムの作用を詳細に説明する。この発明のシステムはいかなる情報の広告にも利用できるが、ここではスーパーマーケットにおける広告を例に取る。例えばシステムは展示会などで製品情報を提供するのに有利に利用でき、会議などでのタイムリーな情報提供もできる。
【００５８】
広告のディスプレーを予定するシステムを図６Ａ〜６Ｃにより説明する。前記したように最初に制御器１１がステップ１００においてディスプレーデータを受信する。このディスプレーデータは広告を定めるとともに、広告タイプの表示および広告がディスプレーされる時間を示す割当て時間通知をも定めるものである。このディスプレーデータは通信ネットワーク２を介して電子フォーマットで受信されるか、またはＣＤロム、フロッピー（登録商標）ディスクなどのデータ記憶媒体上で受信されてもよい。これに代えて、ディスプレーデータはファックスなどのハードコード化フォームまたは電話会話などの音声フォームで提供することもできる。ついでこの情報はＩ／Ｏ装置３２を用いた入力装置により電子フォーマットに変換される。
【００５９】
一旦受信されるとディスプレーデータは一時的にメモリー３１に記憶されるが、ステップ１１０、１２０で示すようにプロセッサー３０は広告が広告タイプと一緒にディスプレーできる割当て時間を決定する。ディスプレーデータが電子フォーマットでない場合には、割当て時間通知と広告タイプを決定するステップは、一般にこのデータを制御器１１のユーザーがＩ／Ｏ装置３２を介して入れることにより行われる。特に広告タイプ表示がディスプレーデータ内に別個の情報として含まれていない場合には、制御器１１のユーザーは広告を見て、広告タイプを決定する必要がある。
【００６０】
これが完了したら、プロセッサー３０はステップ１３０に示すようにメモリー３１に記憶されている場所データにアクセスする。場所データは各遠隔場所３における可能な場所のリストを含んでいる。各可能な場所について場所データは、その各場所に配置されたディスプレーを識別するディスプレー識別子とともに、その場所で提供されている製品のタイプを表示する。場所データは遠隔サイトが最初に設立されるときに決定される必要がある。特に端末局２０に関連するディスプレーの場所は自動的（後記する）に決定できるが、異なる場所で提供される製品に関する情報はシステムがスーパーマーケットに装備されるときに手動で決定する必要がある。
【００６１】
この作業にあっては一般に、各区域で販売される製品のカテゴリーに応じてスーパーマーケットを多数の区域に分割する。例えばスーパーマーケットを果物、野菜、乳製品、冷凍食品、日用品、飲料などの区域に分割する。これらの区域の場所は地図にして、各ディスプレーの場所として決定され、ディスプレーが配置される区域が決定される。
【００６２】
ついでこの情報は、各区域について区域内で販売される製品のタイプと一緒に、各区域に配置された各ディスプレーのディスプレー識別子の表示を記憶することにより、場所データを発生する。これにより各区域の各ディスプレーが制御器１１のプロセッサー３０により決定される。
【００６３】
したがって、一旦プロセッサー３０が広告タイプを決定したら、つまりいずれの製品に広告が関連しているかを決定したら、プロセッサーは場所データにアクセスして、いずれの区域に広告がディスプレーされるべきかを決定する。ついでプロセッサーは各区域に配置された各ディスプレー２３のディスプレー識別子を決定する。
【００６４】
例えば、広告がミルクについてのものなら、広告タイプは一般に乳製品などである。ついでプロセッサー３０はいずれの区域に乳製品がディスプレーされるべきかを決定する。これからプロセッサー３０はミルクのディスプレーされている近くにどのディスプレーが配置されているかを決定し、これによりミルクの広告が目的の視聴者（ミルクの潜在的購入者）にディスプレーされる。
【００６５】
広告タイプが特定の品目（すなわちミルク）のタイプを示す場合には、場所データによりプロセッサー３０はいずれの製品がいずれのカテゴリーに属するかを決定でき、これによりプロセッサーは広告がどの区域にディスプレーされるべきかを決定できる。
【００６６】
これに代えて広告タイプは製品のカテゴリーを示して、スーパーマーケット内の区域と使用される広告タイプとの対応を直接にすることを可能とできる。さらに広告タイプは異なるカテゴリーに対応させて、スーパーマーケット内の多数の異なる区域内で広告がディスプレーされることを示してもよい。したがって例えば広告タイプ「全て」は遠隔サイトの全ての場所で広告がディスプレーされることを示している。
【００６７】
広告がディスプレーできる１以上の場所を決定して、プロセッサー３０はメモリー３１に記憶されている予定にアクセスすべく作用する。各予定はスーパーマーケット内の各場所に提供され、プロセッサーはいずれの広告が現在示されるべきか各場所にいつ示されるべきかをステップ１５０、１６０に示すように決定できる。
【００６８】
この例はスーパーマーケット内の異なる区域に応じて場所が分割されるケースについて説明したが、各場所が各区域に対応するのである。この例は説明の便宜上なされたものであり、システムはまた各区域内での異なる場所における広告のディスプレーを制御することもできる。したがって、区域が複数のディスプレーを含んで場合には、各ディスプレーは異なる広告をディスプレーすることができる。この場合場所データは各広告の場所を正確に識別する必要があり、同様に異なる予定は各場所に提供される必要がある。
【００６９】
一旦各場所についての予定がアクセスされたら、プロセッサー３０はついでディスプレーデータから決定された割当て時間通知を各予定と対比して、ステップ１７０に示すように広告が所望の時間にディスプレーされるか否かを検討する。したがって例えば、割当て時間通知がミルクの広告が午後４時にディスプレーされるということを示す。しかし乳製品の場所についての各予定が午後４時に一杯なら、制御器はステップ１８０に示すように広告を予定することができない。
【００７０】
この時点でプロセッサー３０は代りの時間に広告がディスプレーできるか否かをステップ１９０で決定する。したがって例えば、割当て時間は広告が午後４時〜４時半の間のいつでもディスプレーできることを示す。この場合予定は広告が午後４時１５分にディスプレーできることを示し、プロセッサー３０はこれに応じて予定をする。
【００７１】
さらに所望の割当て時間が使えない場合には、ディスプレーデータには代りの割当て時間が提供できる。これに代えて初めの割当て時間が使えない場合には、広告者は代わりの割当て時間を示すことが要求される。これには制御器１１がＥメールを広告者に転送して割当て時間が使えないことを示し、再送Ｅメールを使って代りの割当て時間を示す。この場合プロセッサー３０はステップ１６０に戻って広告をトライして予定を変更する。
【００７２】
初めのおよび代りの割当て時間が使えない場合には、広告は所望のようにディスプレーされず、この表示は一般にステップ２００において広告者に通信される。例えば制御器１１は広告者に所望の割当て時間が使えないことを示す。この場合広告はディスプレーされない。一旦広告のディスプレーが予定されたら、ステップ２２０においてプロセッサー３０がメモリー３１に記憶された場所データにアクセスする。プロセッサーはこのデータを使ってステップ２３０において決定された場所での各ディスプレーのディスプレー識別子を決定する。
【００７３】
ついでプロセッサー３０は広告がディスプレーされるべき各場所についてメモリー３１に記憶された予定を更新する。例えばミルクの広告の場合にはプロセッサー３０は乳製品の場所について各予定を更新する。メモリー３１中の予定が一旦更新されたら、プロセッサー３０は遠隔場所において予定を更新するのに使われるコマンドを発生する。
【００７４】
予定が更新される毎に、更新された予定のコピーが通信ネットワーク２を介して関連する遠隔場所３に制御器１１から転送される。しかし予定は毎日数十の広告のディスプレーを予定するので、予定はサイズが大きくなり易い。したがって更新される毎に転送するのは極めて効率がよくない。
【００７５】
したがってプロセッサー３０は更新コマンドを発生するだけで、これが遠隔場所において予定を変更するのに使われる。更新コマンドは新たな広告を加えよ、広告を削除せよなどの指令を一般に含んでおり、これにより予定が所望のように更新される。したがってコマンドは現存の予定を変更するのに使われて、遠隔場所において保持されている予定は制御器１１により決定されたものを反映している。
【００７６】
コマンドは一般にディスプレーされる広告についての情報を含んでおり、例えば関連するファイル名、ファイルサイズ、ファイルタイプ、ファイルデュレーション、実行の時間／日付などが各場所における各ディスプレーのディスプレー識別子などと一緒に含まれている。
【００７７】
ステップ２５０においてプロセッサー３０はコマンドとメモリー３１に記憶されているディスプレーデータをサーバー１０に転送する。これは新たな広告が予定される毎に起きる。ステップ２６０に示すように、プロセッサー４０による圧縮と暗号化の前に、このデータはサーバー１０におけるメモリー４１に一時的に記憶される。この圧縮は通信ネットワーク２により転送されるデータの容積を低減するために行われる。同様に暗号化は転送されるデータを第三者が盗聴したり干渉したりするのを防ぐために行われる。
【００７８】
使用される正確な圧縮と暗号化技術はこの発明にとって必須のものではなく、適宜なものを用いればよい。しかしＷＶＺＩＰなどのＺＩＰタイプの圧縮アゴリズムとＤＥＳ暗号化アルゴリズムなどの暗号化アルゴリズムを使用するのが望ましい。
【００７９】
コマンドは一般に高いデータ容積ではない。したがってコマンドは圧縮が必須ではないが、コマンドは公衆通信ネットワーク２を通って転送される間に干渉されることがないように、コマンドの暗号化は重要である。一旦圧縮されて暗号化されると、ディスプレーデータはステップ２７０に示すようにコマンドと一緒に遠隔場所３に転送される。
【００８０】
図６Ｂに示すのはデータを予定する遠隔サイトの作用である。ステップ２８０において、端末局２０のプロセッサー５０はコマンドを受信、解読および圧縮解除して、基局１から受信されたデータをディスプレーする。ステップ２９０においてこのディスプレーデータはついで少なくとも一時的にメモリー５１に記憶される。
【００８１】
端末局２０は制御器１１のメモリー３１に記憶された予定の同じコピーを保持する。ステップ３００、３１０においてこれらの予定はメモリー５１に記憶され、基局１から受信されたコマンドに応じて予定を更新することにより、保持される。一旦予定が更新されると、プロセッサー５０はディスプレーデータが放送データであるかダウンロードデータであるかを決定する。
【００８２】
放送データは端末局２０から直接１以上のディスプレー２３に放送されるデータである。これに対して、ダウンロードディスプレーデータは各広告がディスプレーされるまでの記憶のために端末局２０からディスプレー２３に転送されるデータである。一般にデータが放送データであるか否かはデータのフォーマットによる。かくして放送データは例えばリアルタイムで受信されたときにディスプレー２３によりディスプレーされるビデオデータである。
【００８３】
しかし代りの規準を使用することもできる。例えば、放送データはディスプレーデータ中で特に識別できる。これに代えて、１〜２回だけディスプレーされる広告は放送データとして扱うことができる。しかし所定の期間中例えば１日に数回ディスプレーされる広告はディスプレー２３での記憶のためにダウンロードすることもできる。ダウンロード技術を使うと、広告がディスプレーされる度毎にディスプレー２３にディスプレーデータを反復転送する煩わしさを避けることができる。これにより端末局２０とディスプレー２３間で転送される必要のあるデータ量を低減することができる。
【００８４】
プロセッサー５０はデータが放送データであると決定した場合には、ステップ３２０においてプロセッサー５０が後のディスプレー２３への転送のために放送データが端末局２０のメモリー５１に記憶されたことをチェックする。ステップ３４０において別個の放送データが更新される。
【００８５】
放送予定は、端末局２０がディスプレーのために放送データをディスプレー２３に転送しなければならない時間を示すのに使用される。予定はこれが起きる時間のみでなく、放送データを受信する関連するディスプレーのディスプレー識別子も示すものである。
【００８６】
ディスプレーデータがダウンロードデータである場合には、ステップ３５０において端末局プロセッサー５０は要求されるように各ディスプレーにディスプレーデータを転送する。これをするには、端末局プロセッサー５０はコマンド中に含まれるディスプレー識別子を用いて、正しいディスプレー２３にディスプレーデータが転送されたことを確認する。
【００８７】
一旦これがなされると、ダウンロードデータの転送または放送データの記憶が完了し、ステップ３６０においてプロセッサー５０は含まれたディスプレー識別子に応じてコマンドをディスプレーに転送する。この段階で後記の理由からディスプレーデータのコピーが一般にメモリー５１に保持される。
【００８８】
ついで図６Ｃにより広告のディスプレーを予定するディスプレーの作用を説明する。ステップ３７０においてディスプレーは端末局２０からコマンドおよびディスプレーデータを受信する。ステップ３８０、３９０において、ディスプレーデータはメモリー６１に記憶される。ついでプロセッサー６０はコマンドにアクセスして予定を更新する。まず手始めに各コマンドが放送データまたはダウンロードディスプレーデータを示しているかが決定される。
【００８９】
広告が放送タイプ広告ならば、ステップ４１０、４２０においてプロセッサー６０はメモリー６１に記憶されている各予定を更新する。ついでディスプレーが下記するように予定に応じて広告をディスプレーする。これに代えてプロセッサー６０がディスプレーデータがダウンローデータであると決定したら、ステップ４４０においてプロセッサー６０は各データがまだメモリー６１中に記憶されているか否かをチェックする。
【００９０】
データがメモリー６１に記憶されていない場合には、プロセッサーはステップ４５０に進んで、端末局２０からディスプレーデータを取得する。ディスプレーデータが取得されたら、ステップ４３０に進んで決定された予定に応じて広告をディスプレーする前に、プロセッサー６０はコマンドに応じてメモリー６１内に記憶されている予定を更新する。
【００９１】
広告をディスプレーするシステムの作用を説明する。前記したように、ダウンロードディスプレーデータはディスプレー２３のメモリー６１にダウンロードされる。また放送データは端末局２０のメモリー５１に保持されている。しかしこれに加えて、システムの作用はディスプレーの性質に左右される。
【００９２】
特に２通りのディスプレー作用が与えられる。第１は静的作用であって、ディスプレーは遠隔サイトに静的に配置される。この例では静的に配置とは、広告がディスプレーされているときにディスプレー場所が調整されないこと、を意味する。
【００９３】
これに対して動的作用も与えられる。これでは広告がディスプレーされていても動的ディスプレーが動くのである。したがって動的ディスプレーは例えば購買トロリーなどに固定されたディスプレーであって、購買者がスーパーマーケット内を移動しているときに広告がディスプレーできるのである。これに対して静的ディスプレーは一般にスーパーマーケットの通路に配置される。端末局２０とディスプレー２３の作用はディスプレーが静的であるか動的であるかにより左右されるので、両者のモードを分けて説明する。
【００９４】
図７Ａ、７Ｂに静的モードでの端末局２０とディスプレー２３の作用を示す。まず図７Ａに示すようにステップ５００において、端末局２０のプロセッサー５０はタイマー５６からの現行時間を決定する。ディスプレー２３中のタイマー６６と同様に、タイマー５６はＳＮＴＰプロトコルを使ってサーバー１０のタイマー４６と同期する。この同期はシステムプログラム内で定義されているように、例えば１２または２４時間というように所定の時間間隔で行われる。
【００９５】
ついでステップ５１０、５２０において、プロセッサー５０はメモリー５１に記憶されている各予定にアクセスして、各場所で次にディスプレーされる広告（放送予定を含めて）を決定する。
【００９６】
放送広告がディスプレーされる場合には、ステップ５４０において決定された予定に基づいてプロセッサー５０は現時点が広告がディスプレーされるべき時間であるか否かを確認する。その時間が現時点でない場合には、プロセッサー５０はステップ５５０において広告がディスプレーされるべき時間まで待機して、その時間になると放送データをメモリー５１から各ディスプレー２３に転送する。これを行うには、プロセッサー５０は放送された予定から放送データが転送されるべきディスプレーのディスプレー識別子を決定する。ついでデータは上記の技術を使って要求されたようにトランシーバーを介して転送される。放送データの転送または次の広告がダウンロード広告であるとの決定に続いて、ステップ５００において時間を決定する前に、ステップ５７０においてプロセッサー５０は所定の時間待機する。このことから分かるようにダウンロード広告の場合には、広告がすでにディスプレー２３に転送されているので、この時点では端末局２０によってさらなるアクションが求められることはない。
【００９７】
次いで図７Ｂによりディスプレー２３の作用を説明する。まずステップ６００に示すように、ディスプレー２３のプロセッサー６０はタイマー６６から現行時間を決定する。再びタイマー６６はＳＮＴＰプロトコルを使ってサーバー１０のタイマー４６と同期する。ステップ６１０に示すように、プロセッサー６０はメモリー６１に記憶されている予定にアクセスし、ステップ６２０においてこれを使って予定中のつぎの広告の時間を決定する。ついでプロセッサー６０はステップ６３０においてこのつぎの広告が放送広告であるかダウンロード広告であるかを決定する。
【００９８】
広告が放送広告である場合には、ステップ６４０においてプロセッサー６０は現時点が広告をディスプレーするべき時間であるか否かを決定する。そうでない場合には、ステップ６５０においてプロセッサーは広告をディスプレーすべき時間まで待機し、その時間になったらステップ６６０においてプロセッサー６０は端末局から放送データを受信することを開始する。データが受信されたら、以下に詳記するように、広告をディスプレーする前に、ステップ６７０においてプロセッサー６０は放送データのフォーマットを決定する。
【００９９】
つぎの広告がダウンロード広告である場合には、ステップ６９０、７００で示すように対応するディスプレーデータがメモリー６１に得られるか否かをチェックする前に、プロセッサー６０はステップ６８０においてつぎの広告の識別子をチェックする。ステップ６９０においてメモリー６１からのダウンロードディスプレーデータを取得すると、ステップ６７０に示すようにプロセッサー６０はディスプレーのフォーマットを決定する。
【０１００】
広告のフォーマットを決定すべく、プロセッサー６０はアプリケーションソフトを実行するが、このソフトは受信データを分析しデータのフォーマットを決定することができる。特にデータがＴＶ、オーディオおよび／またはビデオ信号を表わすか、またはデータがＭＰＥＧデータ、フラッシュデータ、マクロメディアデータ、ショックウエーブデータなどのコンピュータータイプファイルであるか否かを、プロセッサー６０が決定する。データのフォーマットを決定したら、ステップ７１０においてプロセッサー６０は広告をディスプレーする。これをするには、プロセッサー６０はメモリー６１中のアプリケーションソフトを作用するが、このソフトは全てのフォーマットデータをディスプレーできる。これを行うには、アプリケーションソフトが単一のアプリケーション内の各フォーマットのプレーヤーを結合する。プロセッサー６０は所望のプレーヤーを選択してから、データを実行する。
【０１０１】
したがってデータのフォーマットを所定のフォーマットに変更する必要のある現行のディスプレーとは異なり、このシステムのディスプレー２３はデータを変更する必要なしに、いかなるフォーマットのデータをも受信して実行することができる。これは広告のディスプレーにおける時間と処理を節減することになる。
【０１０２】
広告をディスプレーした後、ステップ７２０においてプロセッサー６０は確認データを発生するが、これはディスプレーされた広告を示すと共に、広告がディスプレーされた時間、場所および広告がどのくらい長くディスプレーされたかを示す。この情報は以下に説明する理由から、ステップ７３０において端末局を介して基局１に戻される。この時点でディスプレーは他の広告をディスプレーする準備ができており、ステップ６００において現時点を決定することに戻る。
【０１０３】
一般にプロセッサー６０はステップ６００に戻って、つぎにディスプレーされる広告を決定することができるが、前の広告はまだディスプレーされている。これにより前の広告が終了しないうちにつぎの広告がディスプレーできる状態になることが確かになる。この場合、広告に関連する確認データが発生されて基局１に転送されるが、つぎの広告はディスプレー中である。
【０１０４】
さて図８Ａ、８Ｂに示す動的作用に移る。図８Ａに示すように、最初にステップ８００において、端末局１のプロセッサー５０は各動的ディスプレーの現在の場所を決定する。ディスプレーシステムの構成によりこれには幾多の異なる方法がある。
【０１０５】
例えばディスプレーはＧＰＳなどの装置を具えて、これが装置の現在の場所を決定し、その表示を端末局２０に戻す。これに代えて、端末局はトランシーバーに接続された多数のアンテナを使うこともできる。この場合ディスプレーから取得された信号の相対信号強度を用いてディスプレー場所を決定することもできる。これらの技術に加えて、スーパーマーケット内の誘導センサーなどの付加的なセンサーを配置することも可能であり、これがディスプレーまたはディスプレーが搭載されたトロリー（店の周囲を移動している）を追跡することができる。
【０１０６】
ステップ８２０、８３０に示すようにメモリー５１に記憶されている予定にアクセスする前に、ステップ８１０において、プロセッサー５０はタイマー５６からの現時点を決定する。上記したように、該予定は各場所についてディスプレーされるべき広告を示す。プロセッサー５０は動的ディスプレーの現在場所に基づいて適宜な予定を選択する。これらの選択された予定から、各場所においてプロセッサー６０は各動的ディスプレー上にディスプレーされるつぎの広告を決定することができる。かくして現在のディスプレー場所に基づいて動的ディスプレー上にディスプレーされるべきつぎの広告が選択される。
【０１０７】
ステップ８４０において、プロセッサーはつぎの広告が放送広告であるか否かを決定する。広告が放送広告の場合には、プロセッサーはステップ８５０において広告をディスプレーすべき時間であるか否かを決定する。これは各場所についての予定からでも、放送予定からでも行える。まだ広告をディスプレーすべき時間でない場合には、ステップ８７０において適宜な時間に放送データを各ディスプレーに転送する前に、プロセッサー５０はステップ８６０において待機する。
【０１０８】
これに代えて広告がダウンロード広告である場合には、ステップ８８０においてプロセッサー５０はいつ広告がディスプレーされるべきであるかを示すコマンドを発生する。ついでプロセッサー６０は各ディスプレーデータとともにコマンドを各ディスプレー２３に要求されるように転送する。これが、なぜ各静的ディスプレーに要求されるように転送されているにも拘わらず、ダウンロードディスプレーデータがメモリー５１に保持されなければならない、理由である。
【０１０９】
かくして端末局２０は現在のディスプレー場所に基づいてデータをディスプレーに転送することができるのである。したがってこの手法は、顧客が購買トロリーと一緒に現在通過している製品に広告が指向されることを確実にするのに、使用すると有利であり、これにより広告の顧客への関連性が高められるのである。
【０１１０】
この作用モードでのディスプレーの作用を図８Ｂに示す。ステップ９００においてプロセッサー６０はいずれかのディスプレーデータが受信されたか否かを決定する。ディスプレーデータが受信されていたら、ステップ９１０においてプロセッサー６０はこれが放送データであるか否かを決定する。静的ディスプレーについて前に説明したと同様な方法でステップ９３０で各広告をディスプレーする前に、プロセッサー６０はステップ９２０に進んで、ディスプレーデータのフォーマットを決定する。広告がディスプレーされたらステップ９４０において広告がすでにディスプレーされたことを示す確認データをプロセッサー６０は発生し、ステップ９５０においてこの確認データを基局に転送する。
【０１１１】
これに対してディスプレーデータがダウンロードデータである場合には、ディスプレー時間を示すコマンドが受信されたか否かをステップ９６０においてプロセッサーが決定する。もしそうでなかったら、プロセッサーは待機して、ステップ９７０に示すようにコマンドが受信されるまでチェックを継続する。コマンドが受信されたら、プロセッサーはステップ９８０において現時点を決定して、該広告がまだディスプレーされるべきであるか否かを決定する。広告がディスプレーされるべきでない場合には、ステップ９８０で再び現時点をチェックする前に、プロセッサー６０はステップ１０００で待機する。
【０１１２】
広告がディスプレーされるべきである場合には、上記したようにデータをディスプレーする前に、ステップ９２０においてプロセッサー６０はディスプレーデータのフォーマットを決定する。最後にステップ９００においてプロセッサーが最初にチェックしたときにディスプレーデータが受信されていない場合には、ステップ１０１０においてプロセッサーはディスプレー時間を示すコマンドが受信されたか否かを決定する。そうでない場合には、ステップ９００でディスプレーデータが受信されているか否かをチェックする前に、プロセッサーは待機する。でなければステップ９８０において現時点を決定する前に、プロセッサーはステップ１０２０において端末局からダウンロードディスプレーデータを受信する。
【０１１３】
ダウンロードデータと放送データを受信するに加えて、ディスプレーは静的ディスプレーとしても移動ディスプレーとしても作用するものである。
【０１１４】
静的ディスプレーの場合には、前以て各ディスプレーについてディスプレーされるべき広告が決定される。ついでディスプレーそれ自身に記憶されている予定に応じて広告はディスプレーされる。前以て広告を予定するということは、通信システム中でなんらかの短い期間ミスがあってもすでに予定された広告がディスプレーされることを通信システムは予防しないという利点がこのシステムにはある。したがって、システムはデータ転送のほとんどを通信ラインのリース代が安い夜間に行い、広告はつぎの日のディスプレーのためにディスプレー上に記憶されるのである。
【０１１５】
これに対して動的ディスプレーの場合には、つぎにディスプレーされるべき広告はディスプレーの現在場所に応じて選択されるので、ディスプレーにおける予定は必要とされない。代りに端末局２０は各場所について予定を保持し、各動的ディスプレーの現在場所に応じて各予定を選択するだけである。上記したように、一旦広告がディスプレーされたら、これを示す確認データがディスプレーにより発生されてトランシーバー２２を介して基局２０に転送される。この確認データはついで通信ネットワーク２を介して基局に転送される。
【０１１６】
基局１により受信されたら、確認データはスイッチ１２を介していずれかの制御器１１に転送される。制御器１１はメモリー５１の広告処理ログ中に確認データを記憶する。広告処理ログは各広告者にすでに行われた広告を示す。これはついで、別個の顧客情報データベースに記憶された広告者についての情報および別個の価格データベースに記憶された価格構造と一緒に、制御器により使われて請求書を発生する。
【０１１７】
請求書はすでにディスプレーされた広告に基づいて発生され、これにより広告者は実際には公衆にディスプレーされなかった広告については支払いをしないことを確信できる。この請求システムは月間販売報告や請求支払の分析にも使用できる。以上の他にも種々の利用がある。
【０１１８】
このシステムはＣ++、マイクロソフト・ビジュアル・ベーシック、ＳＱＬなどのオブジェクト指向プログラム言語を使って実行され、モジュールを単一のシステムとして集積する。標準通信プロトコルを用いてシステムを広範に受容されまた簡単に展開できるようにする。特にシステムはサーバー１０によりアプリケーションソフトとして実行される以下のモジュールを使用する。
【０１１９】
送信および制御モジュール。このモジュールは管理目的のためのものである。データパケット・フォーム・エンドーツーエンドの送信は本部からモニターされかつ管理される。プロトコルのＴＣＰ／ＩＰセットは全システム中でのデータ通信のための標準通信プロトコルである。個々にディスプレーされている内容の情報はシステム中のいずれの制御ディスプレーでも受信できる。
【０１２０】
計画モジュール。このモジュールは作用の計画を助けるものであり、サイトのサイズ、場所、配置するディスプレーの数、ディスプレーのサイズ、必要とされる無線アンテナとトランシーバー／基局の量、リアルタイム通信をうまく行うのに必要な帯域の計算についての情報を含んでいる。この情報の全てはシステムのうまい展開のために前以て作用を計画することを助けるのに用いられる。また将来の展開における問題を解決する助けにもなる。
【０１２１】
通信モジュール。このモジュールは全システム内でランしている処理のトラックを保ち、計画かつ予定されたように内容が受信およびディスプレーされたことを確認する。失敗した場合にはフォールバック・オプションが自動的にランされて、基局において直ちに警報が発生される。
【０１２２】
マーケティング。このモジュールは標準マーケティングツールを有していて、これがマーケティングチームに有用である。
【０１２３】
システムは暗号化データを送受する特定のポートを具えるのが望ましい。システムは予設定された特定ポートを使用し、これらはデータの送受信について秘密になっている。これにより通信速度と信頼性と安全性が改良される。この場合ポートは全システムにおいて予設定される。したがって個々のポート番号が異なるタイプのデータに使用でき、マルチスレッディング通信が各段階で設計され、多重情報が同時に到着する。
【０１２４】
さらにディスプレーはつぎの特徴を有するものである。スマートさ、ディスプレーは集積マイクロプロセッサーから構成されていて、スタンドアローンコンピューターとして使用できる。無線式、ディスプレー装置はＩＳＭ帯域用に設計された集積無線トランシ―バーとアンテナを使用しており、アンテナはディスプレー装置のフレームに見えないように内蔵されている。ディスプレー装置は他の無線ディスプレーまたは基局／アクセスポイントと１１Ｍｂｐｓまでの速度で通信できる。耐衝撃性、装置は衝撃抵抗性に形成されていて、種々の屋内や営業環境で作動すべくテストされている。耐火性、ディスプレーのガラスとフレームとは耐火性材料からなり、火焔テストされている。非常な高温でも作動できる。低電力、電力消費は市販されている他の同様な装置に比べて非常に安価である。相互作用性、ディスプレー装置にはタッチスクリーン能力が内蔵されていて完全に相互作用性でスマートであり、タッチスクリーンを使うことによりスクリーンに少数回タッチするだけでユーザーはデレクトリーサービスなどの有用な情報にアクセスできる。高解像度、ディスプレーは３２ビットカラーのＸＧＡフォーマットビデオをサポートしており、百万からの色彩を見せることのできる実色ディスプレーとなっている。ワイドスクリーン、ディスプレーは種々のサイズがあり、異なるサイトと場所のために１５〜５０インチにおよんでいる。軽量、ディスプレーはＬＣＤスクリーン搭載なので非常に軽い。内部の房室はＰＣＢボード上に集積されており、非常に小型軽量である。
【０１２５】
最後にシステムは特別な通信プロトコルを使用するのが望ましく、これを使って全ての対象物と構成成分（ソフトおよびハード）と協力し、システムのために完全なエンドーツーエンド解決策を形成する。該プロトコルは全ての内部構成成分と装置を繋ぎ、それらをひとつのシステムとして作動させる。該プロトコルは全ての他の標準プロトコルおよびアプリケーションとの組合せである。プロトコルが機能するアルゴリズムは全システムの各ポイントで定義される。上記のシステムはリアルタイム・マルチタスク・オペレーティングシステムを使用するのが望ましく、これにより上記の機能を発揮するものである。この場合、オペレーティングシステムは高パフォーマンス内蔵システムおよびＰＣアプリケーションのために設計されたフル機能リアルタイム・マルチタスク・オペレーティング・システムである。
【０１２６】
この例では、オペレーティングシステムはオブジェクト指向設計に基づいており、これによりシステムは改善された動作と機能とを帯びるのである。これを達成するために、オペレーティングシステムは多数の機能を提供するのが望ましいい。例えば他のオペレーティングシステムとの相互作用性、特にマイクロソフトウインドウズ（登録商標）環境との相互作用性、強いネットワークおよび秘密構成成分内蔵、高解像度グラフィック、無線および完全無線（次世代対応）、改良の容易さなどである。
【０１２７】
オペレーティングシステムは多数の構成成分からなっており、それぞれは各オブジェクトとして特定化されている。したがって、いつでも該システムは多数の相互作用オブジェクトとして構成できる。該システムにより、ラン時に無制限のオブジェクトが形成できかつダイナミックに破壊でき、オブジェクトを静的に形成する必要がない。これによりシステムは増加された制御、管理、リソース利用適応性および秘密をもって作用できる。またオペレーティングシステムには高パフォーマンス・オブジェクト指向・リアルタイム・マルチタスク・アプリケーションを搭載できる。したがって該システムはアプリケーションをリアルタイムで形成・テストできるのである。
【０１２８】
オペレーティングシステムに内蔵されている主たるオブジェクトについて説明する。タスクオブジェクトはユーザーにより提供された実行可能なコードの作用を制御する。タイマーオブジェクトはタイマー作用を制御する。セマフォーオブジェクトはセマフォー作用を制御する。メッセージボックスオブジェクトはメッセージボックス作用を制御する。イベントオブジェクトはイベント作用を制御する。キューオブジェクトはキュー作用を制御する。バッファーオブジェクトはバッファー作用を制御する。固定サイズメモリーオブジェクトは固定サイズメモリー作用を制御する。リストオブジェクトはリスト作用を制御する。デバイスオブジェクトはデバイス作用を制御する。
【０１２９】
一般にＯＳは要求されるように無制限の数のオブジェクトを形成する。各データおよび方法を使って、各オブジェクトタイプは各ポインターで照合して、各オブジェクトが機能する様式を定義する。
【０１３０】
これらのオブジェクトの使用により、ＯＳは広範囲の作用を実行できる。例えば先制優先タスクスケジューラー、情報ディスプレーの予定を含むタスク予定は目的内蔵スケジューラーにより扱われ、以下のような可能性を提供する。
【０１３１】
ダイナミックタスク管理。これによりタスクオブジェクトが動的に形成、削除および優先化される。静的タスク構造は必要とされず、無制限な数のオブジェクトが形成できる。
【０１３２】
タスク形成・破壊子。オペレーティングシステムはタスクをオブジェクトとして書かせることが可能であり、多くの状態マシンを扱うのにつぎのように同じタスクコードを使うことができる。タスク形成子はタスクの本体を実行する前に開始される。タスクデータは分配され、形成されたタスクが必要とするオブジェクトが形成され、装置が開かれ、状態変数が初期化され、状態マシンが同期される。タスク形成子から戻ると、タスク本体はタスクが戻るか削除されるまでランされる。タスクが完了または削除されると、タスク破壊子が実行される。ここでメモリーは自由にされ、オブジェクトは破壊され状態マシンが終了される。
【０１３３】
タイマー。タイマ−オブジェクトはアドバンストデルタタイマーリスト機構を使って扱われ、この機構はタイマー中断待ち時間を絶対的な最小値にまで低減する。タイマーは一回限りでも連続でもよく、中断すると特定のタスクを予定することができる。
【０１３４】
ビットマップイベント。イベントオブジェクトにより、タスクと中断取扱子はビットマップイベントを介して互いに信号することができる。イベントはマスク可能またはマスク不可能に特定でき、選択的にイベントがポストされると特定のタスクを予定する。
【０１３５】
プロセス間通信（ＩＰＣ）。ＩＰＣはメッセージボックスを通して扱われる。ＩＰＣによりタスクと中断サービスルーチンはメッセージを送受することができ、該メッセージはメッセージボックスへのおよびからのデータのブロックへのポインターを含んでいる。ＩＰＣは迅速ノーコピーメッセージ通過、リストスタイルメッセージボックス管理、メッセージ到着時の選択的タスク予定とメッセージ記憶管理を有している。
【０１３６】
カウンティングおよびミューテックス・セマフォー。カウンティングセマフォーは工業標準「アップ／ダウン」機構に従う。初期値を１に設定することにより、セマフォーは相互排除に用いられる。セマフォー値がゼロの場合には、セマフォーダウン作用はブロッキング、ノンブロッキング、または中断に特定できる。優先反転は優先相続についての選択を用いて扱われる。
【０１３７】
データキュー。データキューはＦＩＦＯキュー中のデータの前リンクリストである。キューは一般にはブロックデバイスドライバーにおけるＩ／Ｏまたは処理間のブロックデータ移動に使われる。
【０１３８】
データバッファー。データバッファーは文字のＦＩＦＯ円形バッファーである。バッファーは一般には文字デバイスドライバー中のＩ／Ｏおよび処理間の文字データ移動に使われる。
【０１３９】
データリスト。データリストはブロックデータの複リンクリストであり、ＦＩＦＯまたはＬＩＦＯキュー中のデータのリストを管理するのに使われる。データリスト管理により処理内または処理間での複雑なデータ取扱いを行う迅速で効率的な機構が提供される。
【０１４０】
固定サイズメモリー管理。この管理により固定サイズメモリーのブロックの迅速な非細分割当てと非割当てとが可能となる。
【０１４１】
可変サイズメモリー管理。この管理はマロック（ｍａｌｌｏｃ）およびフリーラップアラウンドミューテックス（ｆｒｅｅ  ｗｒａｐｐｅｄ  ａｒｏｕｎｄｍｕｔｅｘ）セマフォー作用を使って、それらのコールの非再入性を保護する。
【０１４２】
デバイスインターフェイス。オペレーティングシステムデバイスインターフェイスにより無制限な数のデバイスについてのＩ／Ｏコールを使用する処理への道が与えられる。文字およびブロックＩ／Ｏが与えられ、インターフェイスは工業標準デバイスドライバーコールセットである。
【０１４３】
中断取扱い。中断サービスルーチンによりオペレーティングシステムは、ＥＮＴＥＲ＿ＩＳＲおよびＥＸＩＴ＿ＩＳＲマクロス（ｍａｃｒｏｓ）を含むことにより、ＩＳＲの開始・終了時にタスクをコールし予定することができる。ほとんどのオペレーティングシステム・サービスはサービスルーチンを中断するのに利用でき、ＩＳＲに顕著な処理能力を与える。
【０１４４】
クリテイカルセクション取扱い。これはリアルタイムシステムにおいて非常に重要である。非再入コードセクションは中断およびタスク先取りから保護されなければならない。中断先取り保護は帰納的な中断可能化不可能化コールにより与えられる。タスク先取り保護は帰納的タスクスケジューラー・ロックおよびアンロックコールにより与えられる。またタスク先取りは動的タスク優先化により特定の優先レベルについて防止され得る。
【０１４５】
タスク実行追跡。各タスクは追跡バッファーを有している。これは時間とラン時間とを制御可能にコンパイルする。ユーザーは追跡バッファーの深さを特定し、タスクスレッドを通して追跡を動的に制御できる。追跡バッファーはコールの順序、通過したパラメータおよびコールされた機能の戻り値についての情報を含んでいる。
【０１４６】
拡張性。オペレーティングシステムはコードとデータを拡張できる。コードモジュールは高度に粒状であってリンク可能なライブラリーに配置されており、使用されたモジュールのみがあなたのアプリケーションに配置される。データ拡張性はヘッダーファイルに用意されており、ユーザーはあるデータタイプをそのアプリケーションに適合させることができる。
【０１４７】
上記したシステムはクライアント／サーバー作用モデルを使用する。したがって、オペレーティングシステムはサーバーおよびクライアントとして作用するようになっていなければならない。サイトサーバーは各サイトに配備されて、その特定のサイト内の全クライアントにサービスする。これを行うにはオペレーティングシステムは以下の機能を果たせるのが望ましい。
【０１４８】
多重タスク、信頼性、いかなる環境でも最少のダウンタイムで作用できる、ＴＣＰ／ＩＰ、ＦＴＰおよびテルネット可能性、遠隔管理および運営、ＤＮＳサーバー、タスク予定、バックアップおよび災害復旧、ＲＡＤＩＵＳやＳｙｓｌｏｇやデータベースやマルチメディア可能性を含むサーバー機能、ＵＰＳ保護、時間同期、頑丈性と高い安全性。
【０１４９】
クライアントは特定のサイト区域に装備される。一般にクライアントはサーバーに対して上記したと同じ機能を要求する。またクライアントはマルチメディアサービス、プレイバック可能性およびログ発生を提供する。広告業界に加えてシステムはつぎのような他のビジネス分野でも有用である。
【産業上の利用可能性】
【０１５０】
（ａ）倉庫、輸送およびロジスティクスビジネス。例えば相互作用可動ディスプレーは倉庫業ではフォークリフトに搭載でき、これにより場所特定データがリアルタイムでディスプレーに齎され、フォークリフト上の作業員がより移動を少なくかつ生産的に移動するのを助ける。
【０１５１】
（ｂ）病院。例えば相互作用可動ディスプレーを病院区域内のベッドやトロリーに搭載でき、可動ディスプレーが患者間を移動するときに、ひとつのボタンにタッチすることさえなしに、患者のプロフィールをスクリーン上に自動的に齎す。
【０１５２】
（ｃ）生産工場。例えば装置と一緒に作業している監視子が自動的に更新されるという前提で、仕事ファイルと一緒に可動ディスプレーをトロリーまたは車両に搭載できる。作業員は仕事区域に関連するデータをリアルタイムで転送できる。システムは品質管理に携わる監視子や監視員に非常に助けとなる。
【０１５３】
その他にもこの発明には種々の変更を加えることができる。
【図面の簡単な説明】
【０１５４】
【図１】広告をディスプレーするシステムを示す図である。
【図２】図１の制御器のひとつを示す図である。
【図３】図１のサーバーを示す図である。
【図４】図１の端末局のひとつを示す図である。
【図５】図１のディスプレーのひとつを示す図である。
【図６Ａ】基局、端末局および広告をディスプレーのために予定するディスプレーの作用を示す流れ図である。
【図６Ｂ】基局、端末局および広告をディスプレーのために予定するディスプレーの作用を示す流れ図である。
【図６Ｃ】基局、端末局および広告をディスプレーのために予定するディスプレーの作用を示す流れ図である。
【図７Ａ】端末局と静的ディスプレー作用のためのディスプレーを示す図である。
【図７Ｂ】端末局と静的ディスプレー作用のためのディスプレーを示す図である。
【図８Ａ】端末局と動的ディスプレーのためのディスプレーを示す図である。
【図８Ｂ】端末局と動的ディスプレーのためのディスプレーを示す図である。
【符号の説明】
【０１５５】
１  ：基局
２  ：通信ネットワーク
３  ：遠隔場所
１０：サーバー
１１：制御器
２０：端末局
２３：ディスプレー
３０：プロセッサー
３１：メモリー
３２：Ｉ／Ｏ装置
５０：プロセッサー
【図１】
2004527794.tif 000003
【図２】
2004527794.tif 000004
【図３】
2004527794.tif 000005
【図４】
2004527794.tif 000006
【図５】
2004527794.tif 000007
【図６Ａ】
2004527794.tif 000008
【図６Ｂ】
2004527794.tif 000009
【図６Ｃ】
2004527794.tif 000010
【図７Ａ】
2004527794.tif 000011
【図７Ｂ】
2004527794.tif 000012
【図８Ａ】
2004527794.tif 000013
【図８Ｂ】
2004527794.tif 000014
【国際公開パンフレット】
2004527794.tif 000015
2004527794.tif 000016
2004527794.tif 000017
2004527794.tif 000018
2004527794.tif 000019
2004527794.tif 000020
2004527794.tif 000021
2004527794.tif 000022
2004527794.tif 000023
2004527794.tif 000024
2004527794.tif 000025
2004527794.tif 000026
2004527794.tif 000027
2004527794.tif 000028
2004527794.tif 000029
2004527794.tif 000030
2004527794.tif 000031
2004527794.tif 000032
2004527794.tif 000033
2004527794.tif 000034
2004527794.tif 000035
2004527794.tif 000036
2004527794.tif 000037
2004527794.tif 000038
2004527794.tif 000039
2004527794.tif 000040
2004527794.tif 000041
2004527794.tif 000042
2004527794.tif 000043
2004527794.tif 000044
2004527794.tif 000045
2004527794.tif 000046
2004527794.tif 000047
2004527794.tif 000048
2004527794.tif 000049
2004527794.tif 000050
2004527794.tif 000051
2004527794.tif 000052
2004527794.tif 000053
2004527794.tif 000054
2004527794.tif 000055
2004527794.tif 000056
2004527794.tif 000057
【国際調査報告】
2004527794.tif 000058
2004527794.tif 000059
2004527794.tif 000060